(57)【要約】【課題】画像ファイルに含まれるＲＡＷ画像データの再生パラメータを変更した場合でも、変更後の画像の確認を効率よく短時間で行うことができる画像ファイル編集方法、画像ファイル編集装置、及び画像ファイル編集プログラムを提供する。【解決手段】画像処理装置は、入出力インタフェース１、制御部２、記憶部３、表示部４、操作部５を含んで構成される。制御部２の再生パラメータ変更処理部２１は、操作部５からの操作に応じたＲＡＷ画像データに基づく再生画像データを生成するための再生パラメータを変更する処理を行う。また、画像ファイル更新処理部２２は、再生パラメータ変更処理部２１で変更された再生パラメータと、変更された再生パラメータに基づいて変更されたサムネイルデータを、記憶部３の該当する画像ファイルに記憶する。【選択図】図１
2004056641.tif 000002
【特許請求の範囲】
【請求項１】
撮像装置によって取得されたＲＡＷ画像データを含む画像ファイルを編集する画像ファイル編集方法であって、
前記画像ファイルは、さらに、前記ＲＡＷ画像データに基づく再生画像データの生成に利用される再生パラメータと、前記ＲＡＷ画像データから生成したサムネイルデータとを含んでおり、
前記再生パラメータを変更するパラメータ変更ステップと、
前記パラメータ変更ステップにおいて変更された前記再生パラメータを利用して、前記サムネイルデータを変更するサムネイルデータ変更ステップと、
前記パラメータ変更ステップにおいて変更された前記再生パラメータと、前記サムネイルデータ変更ステップで変更された前記サムネイルデータを前記画像ファイルに記憶させるファイル更新ステップとを含む編集方法。
【請求項２】
請求項１記載の画像ファイル編集方法であって、
前記ファイル更新ステップは、前記画像ファイルに記憶された前記再生パラメータ及び前記サムネイルデータを書き換えるものである画像ファイル編集方法。
【請求項３】
請求項１記載の画像ファイル編集方法であって、
前記ファイル更新ステップは、前記変更された再生パラメータを追加記憶するとともに、前記画像ファイルに記憶された前記サムネイルデータを書き換えるものである画像ファイル編集方法。
【請求項４】
請求項１記載の画像ファイル編集方法であって、
前記ファイル更新ステップは、前記変更された再生パラメータ及び前記サムネイルデータを追加記憶するものである画像ファイル編集方法。
【請求項５】
請求項１ないし４のいずれか１項記載の画像ファイル編集方法であって、
前記パラメータ変更ステップは、変更すべき前記再生パラメータを入力する再生パラメータ入力ステップと、前記入力された再生パラメータに対応する再生画像を表示する画像表示ステップを含む画像ファイル編集方法。
【請求項６】
請求項５記載の画像ファイル編集方法であって、
前記画像表示ステップは、変更前の再生パラメータに基づく再生画像を合わせて表示するものである画像ファイル編集方法。
【請求項７】
請求項５又は６記載の画像ファイル編集方法であって、
前記画像表示ステップは、前記画像ファイルに記憶されるサムネイルデータと前記入力された再生パラメータを利用して生成したサムネイルデータに基づく画像を表示するものである画像ファイル編集方法。
【請求項８】
請求項５又は６記載の画像ファイル編集方法であって、
前記画像表示ステップは、前記画像ファイルに記憶される生の画像データと前記画像ファイルに記憶された再生パラメータ及び前記入力された再生パラメータを利用して生成した画像データに基づく画像を表示するものである画像ファイル編集方法。
【請求項９】
請求項８記載の画像ファイル編集方法であって、
前記サムネイルデータ変更ステップにおいて得られるサムネイルデータは、前記生成した画像データに基づいて生成されたサムネイルデータである画像ファイル編集方法。
【請求項１０】
撮像装置によって取得されたＲＡＷ画像データを含む画像ファイルを編集する画像ファイル編集装置であって、
前記画像ファイルを入力する入力手段と、
前記入力された画像ファイルに含まれるデータの編集を行うファイル編集手段と、
前記ファイル編集手段による編集結果に基づき前記画像ファイルを更新するファイル更新手段とを有し、
前記画像ファイルは、さらに、前記ＲＡＷ画像データに基づく再生画像データの生成に利用される再生パラメータと、前記ＲＡＷ画像データから生成したサムネイルデータとを含んでおり、
前記ファイル編集手段は、少なくとも前記再生パラメータの変更処理を行うものであり、
前記ファイル更新手段は、前記変更された再生パラメータと、前記変更された前記再生パラメータに基づいて変更されたサムネイルデータとを前記画像ファイルに記憶させるものである画像ファイル編集装置。
【請求項１１】
請求項１０記載の画像ファイル編集装置であって、
前記ファイル更新手段は、前記画像ファイルに記憶された前記再生パラメータ及び前記サムネイルデータを書き換えるものである画像ファイル編集装置。
【請求項１２】
請求項１０記載の画像ファイル編集装置であって、
前記ファイル更新手段は、前記変更された再生パラメータを追加記憶するとともに、前記画像ファイルに記憶された前記サムネイルデータを書き換えるものである画像ファイル編集装置。
【請求項１３】
請求項１０記載の画像ファイル編集装置であって、
前記ファイル更新手段は、前記変更された再生パラメータ及び前記サムネイルデータを追加記憶するものである画像ファイル編集装置。
【請求項１４】
請求項１０ないし１３のいずれか１項記載の画像ファイル編集装置であって、
前記パラメータ変更手段は、入力された再生パラメータに対応する再生画像を表示する画像表示手段を含む画像ファイル編集装置。
【請求項１５】
請求項１４記載の画像ファイル編集装置であって、
前記画像表示手段は、変更前の再生パラメータに基づく再生画像を合わせて表示するものである画像ファイル編集装置。
【請求項１６】
請求項１４又は１５記載の画像ファイル編集装置であって、
前記画像表示手段は、前記画像ファイルに記憶されるサムネイルデータと前記入力された再生パラメータを利用して生成したサムネイルデータに基づく画像を表示するものである画像ファイル編集装置。
【請求項１７】
請求項１４又は１５記載の画像ファイル編集装置であって、
前記画像表示手段は、前記画像ファイルに記憶される生の画像データと前記画像ファイルに記憶された再生パラメータ及び前記入力された再生パラメータを利用して生成した画像データに基づく画像を表示するものである画像ファイル編集装置。
【請求項１８】
請求項１７記載の画像ファイル編集装置であって、
前記ファイル更新手段は、前記変更されたサムネイルデータとして、前記生成した画像データに基づいて生成されたサムネイルデータを利用するものである画像ファイル編集装置。
【請求項１９】
請求項１ないし９のいずれか１項記載の画像ファイル編集方法における各ステップを、コンピュータに実行させるための画像ファイル編集プログラム。
【発明の詳細な説明】
【０００１】
【発明の属する技術分野】
本発明は、撮像装置によって取得された生のデジタル画像データ（以下、「ＲＡＷ画像データ」と記述する。）を含む画像ファイルを編集する画像ファイル編集方法、画像ファイル編集装置、及び画像ファイル編集プログラムに関する。
【０００２】
【従来の技術】
デジタルカメラは、ＣＣＤ撮像素子等を含む撮像部からの撮像信号に基づいたデジタル画像データを出力するもので、近年、その普及は目覚しいものがある。デジタルカメラの１つの特徴は、撮影前に被写体の画像を連続表示して、撮影される画像を確認した上で撮影したり、撮影済の画像を再生表示して確認することができることである。また、他の特徴は、デジタルデータであるため、撮影後に広範囲の画像処理が可能なことである。すなわち、オフセット補正、ゲイン補正（ホワイトバランス補正）、階調補正（ガンマ補正）、輪郭補正、色相補正等の補正処理を施し、利用者の好みに合った画像を手軽に得ることができる。
【０００３】
撮影後に画像処理を施す場合、撮像部の出力信号そのままの画像データであるＲＡＷ画像データを利用すると、撮像素子の画素構成、特性等を生かした画像を得ることができる。また、ＲＡＷ画像データは、一般に画素当たりの出力ビット数も多く、圧縮データではないので画像劣化のない処理が可能である。そのため、デジタルカメラには、ＲＡＷ画像データの出力機能が付加されたものも増えている。
【０００４】
デジタル画像データに基づく画像を表示するするためには、同時化された画像データ、すなわち、画素毎のＲＧＢデータ、又はＲＧＢデータに対してＹＣ変換を行った輝度信号データＹ及び色差信号データＣｒ、Ｃｂが必要であるが、ＲＡＷ画像データは、撮像素子の種類に依存する形式の点順次データであるため、所定の再生パラメータに基づいて画像処理を行って、ＲＧＢデータ又はＹ−ＣｒＣｂデータを生成する必要がある。そのため、ＲＡＷ画像データは、再生パラメータを含む画像ファイルとして出力される。図７に、撮像装置から出力されるＲＡＷ画像データを含む画像ファイルのファイルフォーマットの一例を示す。なお、図７におけるサムネイルデータは、記憶された再生パラメータ、例えば撮影条件等に応じたＲＧＢゲイン（ホワイトバランス）、階調データ（ガンマ補正データ）、輪郭補正データ（シャープネス）、色相データ（色変換マトリクス）等にしたがって、ＲＡＷ画像データを適宜の大きさの表示可能な画像データに変換し、それを縮小したものである。
【０００５】
このようなファイルフォーマットとすると、所定の再生パラメータに基づく画像の再生が可能な画像ファイルを、再生画像ファイルのサイズを大きくすることなく記憶することができる。また、サムネイルデータを合わせて記憶しているため、記憶された画像を簡単に表示させ、確認することができる。
【０００６】
ＲＡＷ画像データに対する画像処理の結果は、再生パラメータを更新することによって保存できるので、画像ファイルに記憶される再生パラメータは、画像適宜変更される。しかし、再生パラメータが更新された場合、更新された再生パラメータに基づいてＲＡＷ画像データをＲＧＢデータに変更する必要があるため、変更処理のための時間がかかり、更新後の画像を確認することは簡単ではなかった。
【０００７】
【発明が解決しようとする課題】
本発明は、上記事情に鑑みなされたもので、画像ファイルに含まれるＲＡＷ画像データの再生パラメータを変更した場合でも、変更後の画像の確認を効率よく短時間で行うことができる画像ファイル編集方法、画像ファイル編集装置、及び画像ファイル編集プログラムを提供することを目的とする。
【０００８】
【課題を解決するための手段】
本発明の画像ファイル編集方法は、撮像装置によって取得されたＲＡＷ画像データを含む画像ファイルを編集する画像ファイル編集方法であって、前記画像ファイルは、さらに、前記ＲＡＷ画像データに基づく再生画像データの生成に利用される再生パラメータと、前記ＲＡＷ画像データから生成したサムネイルデータとを含んでおり、前記再生パラメータを変更するパラメータ変更ステップと、前記パラメータ変更ステップにおいて変更された前記再生パラメータを利用して、前記サムネイルデータを変更するサムネイルデータ変更ステップと、前記パラメータ変更ステップにおいて変更された前記再生パラメータと、前記サムネイルデータ変更ステップで変更された前記サムネイルデータを前記画像ファイルに記憶させるファイル更新ステップとを含むものである。この編集方法によれば、再生パラメータを変更した場合でも、変更された再生パラメータに基づくサムネイル画像が記憶されているので、再生パラメータ変更後の画像の確認を簡単に行うことができる。
【０００９】
本発明の画像ファイル編集方法における前記ファイル更新ステップは、前記画像ファイルに記憶された前記再生パラメータ及び前記サムネイルデータを書き換えるものである。この編集方法によれば、更新された再生パラメータに対応したサムネイルデータによって、元のサムネイルデータが書き換えられるので、画像ファイルの容量に変化がなく、画像の確認も容易に行うことができる。
【００１０】
本発明の画像ファイル編集方法における前記ファイル更新ステップは、前記変更された再生パラメータを追加記憶するとともに、前記画像ファイルに記憶された前記サムネイルデータを書き換えるものである。この編集方法によれば、再生パラメータを変更した場合でも元の再生パラメータが残っているので、元の再生パラメータの基づく画像再生を行うこともできる。サムネイルデータは、最新の再生パラメータに基づくものが記憶されるので、画像ファイルの容量の大幅な増加を避けることができる。
【００１１】
本発明の画像ファイル編集方法における前記ファイル更新ステップは、前記変更された再生パラメータ及び前記サムネイルデータを追加記憶するものである。この編集方法によれば、元の再生パラメータを利用する際にも、画像の確認を簡単に行うことができる。
【００１２】
本発明の画像ファイル編集方法における前記パラメータ変更ステップは、変更すべき前記再生パラメータを入力する再生パラメータ入力ステップと、前記入力された再生パラメータに対応する再生画像を表示する画像表示ステップを含むものである。この編集方法によれば、再生パラメータの変更に際して画像の確認が可能となる。
【００１３】
本発明の画像ファイル編集方法における前記画像表示ステップは、変更前の再生パラメータに基づく再生画像を合わせて表示するものである。この編集方法によれば、再生パラメータの変更の効果の確認が容易に行うことができる。
【００１４】
本発明の画像ファイル編集方法における前記画像表示ステップは、前記画像ファイルに記憶されるサムネイルデータと前記入力された再生パラメータを利用して生成したサムネイルデータに基づく画像を表示するものである。この編集方法によれば、再生パラメータの変更時の画像確認用画像データを特別に作成する必要がないため、処理時間の短縮が可能となる。
【００１５】
本発明の画像ファイル編集方法における前記画像表示ステップは、前記画像ファイルに記憶される生の画像データと前記画像ファイルに記憶された再生パラメータ及び前記入力された再生パラメータを利用して生成した画像データに基づく画像を表示するものである。この編集方法によれば、再生パラメータの変更毎に生の画像データに基づく再生画像データを生成するので、実際の再生画像の近い確認用表示画像を得ることができる。
【００１６】
本発明の画像ファイル編集方法における前記サムネイルデータ変更ステップにおいて得られるサムネイルデータは、前記生成した画像データに基づいて生成されたサムネイルデータである。この編集方法によれば、実際の再生画像に近いサムネイルデータを得ることができる。
【００１７】
本発明の画像処理装置は、撮像装置によって取得されたＲＡＷ画像データを含む画像ファイルを編集する画像ファイル編集装置であって、前記画像ファイルを入力する入力手段と、前記入力された画像ファイルに含まれるデータの編集を行うファイル編集手段と、前記ファイル編集手段による編集結果に基づき前記画像ファイルを更新するファイル更新手段とを有し、前記画像ファイルは、さらに、前記ＲＡＷ画像データに基づく再生画像データの生成に利用される再生パラメータと、前記ＲＡＷ画像データから生成したサムネイルデータとを含んでおり、前記ファイル編集手段は、少なくとも前記再生パラメータの変更処理を行うものであり、前記ファイル更新手段は、前記変更された再生パラメータと、前記変更された前記再生パラメータに基づいて変更されたサムネイルデータとを前記画像ファイルに記憶させるものである。
【００１８】
本発明の画像ファイル編集装置における前記ファイル更新手段は、前記画像ファイルに記憶された前記再生パラメータ及び前記サムネイルデータを書き換えるものである。
【００１９】
本発明の画像ファイル編集装置における前記ファイル更新手段は、前記変更された再生パラメータを追加記憶するとともに、前記画像ファイルに記憶された前記サムネイルデータを書き換えるものである。
【００２０】
本発明の画像ファイル編集装置における前記ファイル更新手段は、前記変更された再生パラメータ及び前記サムネイルデータを追加記憶するものである。
【００２１】
本発明の画像ファイル編集装置における前記パラメータ変更手段は、入力された再生パラメータに対応する再生画像を表示する画像表示手段を含むものである。
【００２２】
本発明の画像ファイル編集装置における前記画像表示手段は、変更前の再生パラメータに基づく再生画像を合わせて表示するものである。
【００２３】
本発明の画像ファイル編集装置における前記画像表示手段は、前記画像ファイルに記憶されるサムネイルデータと前記入力された再生パラメータを利用して生成したサムネイルデータに基づく画像を表示するものである。
【００２４】
本発明の画像ファイル編集装置における前記画像表示手段は、前記画像ファイルに記憶される生の画像データと前記画像ファイルに記憶された再生パラメータ及び前記入力された再生パラメータを利用して生成した画像データに基づく画像を表示するものである。
【００２５】
本発明の画像ファイル編集装置における前記ファイル更新手段は、前記変更されたサムネイルデータとして、前記生成した画像データに基づいて生成されたサムネイルデータを利用するものである。
【００２６】
本発明の画像ファイル編集プログラムは、上記画像ファイル編集方法における各ステップを、コンピュータに実行させるための画像ファイル編集プログラムである。
【００２７】
【発明の実施の形態】
以下、本発明の実施の形態について、図面を用いて説明する。図１は、本発明の実施の形態の画像処理装置の概略構成を示す図である。図１の画像処理装置は、入出力インタフェース１、制御部２、記憶部３、表示部４、操作部５を含んで構成され、制御部２は、再生パラメータ変更処理部２１、画像ファイル更新処理部２２を含む。
【００２８】
入出力インタフェース１は、編集処理すべきＲＡＷ画像データを含む画像ファイルの入力、編集処理後の画像ファイルの出力を含む各種データの入出力を行うものであり、図示しない記録媒体ドライブ装置、通信制御部等に接続される。入力される画像ファイルは、通常、デジタルカメラのメモリカード等のメディアに、例えば、図７に示すようなファイルフォーマットで記憶され、メディアから直接あるいは他の外部記憶装置に記憶された後、画像処理装置に入力される。なお、図７におけるサムネイルデータは、記憶された再生パラメータ、例えば撮影条件等に応じたＲＧＢゲイン（ホワイトバランス）、階調データ（ガンマ補正データ）、輪郭補正データ（シャープネス）、色相データ（色変換マトリクス）等にしたがって、ＲＡＷ画像データを適宜の大きさの表示可能な画像データに変換し、それを縮小したものである。
【００２９】
メディアからの読取りは、入出力インタフェース１に接続されたメディアインタフェースに、デジタルカメラから取り出したメディアを接続して行ってもよいし、デジタルカメラを所定のケーブルで接続し、デジタルカメラに装着したままで行ってもよい。また、編集処理後の画像ファイルは、記録媒体ドライブを介して任意の記録媒体、あるいは通信制御部を介して他の装置に出力される。
【００３０】
制御部２は、再生パラメータ変更処理部２１、画像ファイル更新処理部２２を含んでおり、画像ファイルに含まれるＲＡＷ画像データの再生に利用される再生パラメータを変更する処理、変更された再生パラメータに基づいて、画像ファイルを更新する処理を含む画像処理装置全体の制御を行うものである。
【００３１】
再生パラメータ変更処理部２１は、操作部５からの操作に応じたＲＡＷ画像データに基づく再生画像データを生成するための再生パラメータを変更する処理を行うものである。この変更処理は、後述するように、再生パラメータ変更後の画像を表示させ、その内容を確認しながら行われる。したがって、利用者は、表示された画像を確認しながら再生パラメータを変更することができ、要求する画像を効率よく得ることができる。
【００３２】
画像ファイル更新処理部２２は、再生パラメータ変更処理部２１で変更された再生パラメータに基づいて、記憶部３に記憶された対応する画像ファイルを更新するものである。具体的には、編集対象の画像ファイルの再生パラメータと、変更された再生パラメータに基づいて変更されたサムネイルデータを、記憶部の該当する画像ファイルに記憶する。画像ファイルへの記憶に際しては、画像ファイルに含まれる元の再生パラメータ及びサムネイルデータを書き換えてもよいし、追記記憶させてもよい。
【００３３】
記憶部３は、入出力インタフェース１を介して入力された画像ファイル、変更された画像ファイルを含む各種データを記憶するものである。表示部４は、再生パラメータ変更処理時に、画像ファイルに含まれるサムネイルデータ又はＲＡＷ画像データに対応する画像を表示して、変更すべき再生パラメータを入力し、入力された再生パラメータに対応する再生画像を表示するものである。また、再生パラメータ調整時の設定メニュー情報等、画像処理処理装置の動作に必要な各種情報を表示する。操作部５は、再生パラメータ変更処理の内容を指示する操作、画像ファイル更新処理の内容を指示する操作の部の他、画像処理装置を使用する際の各種操作信号を入力するものである。
【００３４】
なお、図１の画像処理装置は、パソコン等のコンピュータに所定のプログラムをインストールすることによって実現できるが、実現するためのコンピュータは、スタンドアローン型のものに限らず、クライアントコンピュータとサーバコンピュータで処理を分担してもよい。、
【００３５】
次に、図１に示した画像処理装置を用いて、ＲＡＷ画像データを含む画像ファイルに対する編集処理を行う場合の概略動作を、図２のフロー図に基づいて説明する。
【００３６】
図２は、メディアに記録された複数の画像ファイルから、入出力インタフェース１を介して編集すべき画像ファイルを記憶部３に読込んで、編集処理を行う場合のフローである。
【００３７】
ステップＳ１０１では編集すべき画像ファイルの選択のために、サムネイル画像の一覧を表示部４に表示する。撮影時に作成された画像データは、図７に示すようなファイルフォーマットを有しているので、複数の画像ファイルからサムネイルデータを読込み、図８に示すような、サムネイル画像の一覧として表示する。
【００３８】
ステップＳ１０２で、利用者による処理対象画像が選択（例えば図８に示すようにカーソルの移動によって行う。）されると、ステップＳ１０３で、選択された画像に対応する画像ファイルを入出力インタフェース１を介して読込み、記憶部３に記憶させる。
【００３９】
そして、ステップＳ２００で再生パラメータの変更処理を行い、ステップＳ３００で再生パラメータの変更に基づく画像ファイルの更新処理を行う。画像ファイルの更新処理は、ステップＳ２００で変更された再生パラメータと、変更された再生パラメータを利用して変更されたサムネイルデータを前記画像ファイルに記憶させることを含む。
【００４０】
次のステップＳ２００の再生パラメータ変更処理をより具体的に説明する。図３は、パラメータ変更処理の一例を示すフロー図であり、再生パラメータ変更後の画像を確認するためにサムネイルデータを表示する場合の例である。
【００４１】
ステップＳ２０１では、記憶部３に読込まれた画像ファイルを利用し、図９に示すようなパラメータの変更処理を行うための画面を表示部４に表示する。　図９の変更処理画面は、プレビュー画像表示領域５１、再生パラメータ設定領域５２、決定ボタン５３、キャンセルボタン５４を含む。プレビュー画像表示領域５１には、編集処理すべき画像ファイルに記憶されたサムネイルデータに基づく画像が表示される。また、再生パラメータ設定領域５２の再生パラメータは、画像ファイルに記憶された再生パラメータに対応した値に対応する。図９の例では、それぞれのパラメータ毎の設定バー５２０によって、再生パラメータを表示、あるいは設定変更可能としているが、数値情報を用いてもよい。
【００４２】
図９における決定ボタン５３は、再生パラメータを決定するときに押下されるボタンであり、キャンセルボタン５４は、再生パラメータ設定領域５２で設定された最新の設定をキャンセルし、直前の設定に戻すためのボタンである。設定処理の履歴をどの程度保持しておくかは、任意である。
【００４３】
図９の変更処理画面が表示された状態で、再生パラメータ設定領域５２の設定バー５２０の移動によるパラメータの変更操作の有無が判断され（ステップＳ２０２）、変更ありの場合は、変更された再生パラメータに基づいて、サムネイルデータを変換するためのパラメータを抽出する（ステップＳ２０３）。このステップは、ＲＡＷ画像データとサムネイルデータの間のビット数、画素数等の違いを吸収するためのものである。
【００４４】
ステップＳ２０４では、抽出されたサムネイル変換パラメータを用いてサムネイルデータを変更し、ステップＳ２０５で、プレビュー画像表示領域５１の表示画像を変更されたサムネイルデータに基づく画像に変更する。そして、ステップＳ２０６で決定ボタン５３の押下の有無を判断し、決定ボタン５３が押された場合は、その時点の再生パラメータによる変更指示がされたものとしてパラメータ変更処理を終了する。
【００４５】
プレビュー画像表示領域５１に表示された画像をさらに修正したい場合は、再生パラメータ設定領域５２の設定バー５２０の移動による変更操作を行う。したがって、利用者は、再生パラメータの変更操作に伴う画像を確認しつつ編集処理ができることになる。
【００４６】
なお、図９の変更処理画面では、プレビュー画像表示領域５１に再生パラメータ変更後の画像を表示させたが、図１０に示すように、プレビュー画像表示領域に２つの画像を表示し、変更の前後の画像を比較できるようにすることも可能である。その場合は、元画像ボタン５５を設け、変更前の再生パラメータに戻ることができるようにするのが好ましい。
【００４７】
図３は、再生パラメータ変更後の画像としてサムネイル画像を用いたが、サムネイルデータを変更した場合、再生パラメータの変更に忠実な画像は表示されな。図４に、パラメータ変更処理フローの他の例を示す。図４は、再生パラメータ変更後の画像を確認するために、ＲＡＷ画像データから生成した画像データに基づく画像表示する場合の例である。
【００４８】
変更処理画面の表示に先立ち、記憶部３に読込まれた画像ファイルの再生パラメータとＲＡＷ画像データを利用し、表示用画像データを生成する（ステップＳ２１１）。表示用画像データは、画像ファイルに記憶された再生パラメータに基づいてＲＡＷ画像データをＲＧＢデータに変更したものである。一般に、プレビュー画像表示領域５１は、記憶された画像データのサイズに比べて小さいので、ＲＡＷ画像データの状態で、又はＲＧＢデータに変換後、縮小処理が行われる。
【００４９】
続いて、ステップＳ２１２で、図９又は図１０に示すような変更処理画面が表示され、再生パラメータの変更操作を待つ（ステップＳ２１３）。再生パラメータの変更操作があると、ステップＳ２１４で表示画像データを更新する。この処理は、ＲＡＷ画像データに対して変更された再生パラメータによる画像変更処理を行うものであるので、再生パラメータの変更に忠実な画像をプレビュー画像表示領域５１に表示させることができる。このような表示画像データの更新処理は、ＲＡＷデータの画素数に比例して処理時間が長くなるので、予めＲＡＷ画像データに対して縮小処理を施しておくのが好ましい。縮小処理は、画像全体に縮小処理を施すものでも、画像の一部領域のＲＡＷ画像データを切り出すものでもよい。
【００５０】
表示画像データの更新処理が終了すると、更新された表示画像データに基づく画像をプレビュー画像表示領域５１に表示する。プレビュー画像表示領域５１に表示された画像をさらに修正したい場合に、再生パラメータ設定領域５２の設定バー５２０の移動による変更操作を行う点は、図３のパタメータ変更処理と同様である。また、決定ボタン５３が押された場合は、その時点の再生パラメータによる変更指示がされたものとしてパラメータ変更処理を終了する。
【００５１】
次に、図２の画像ファイル更新処理について、さらに詳細に説明する。図５に、サムネイルデータを利用してプレビュー画像表示領域５１にプレビュー画像を表示する場合の画像ファイル更新処理の概略フローを示す。
【００５２】
図９又は図１０のパラメータ変更処理画面の決定ボタン５３を押すと、変更すべき再生パラメータが決定され、ステップＳ３０１で、決定された再生パラメータを記憶部３に記憶し、画像ファイルを更新する。この場合、変更された再生パラメータで元の再生パラメータを書き換えてもよいし、追加記憶してもよい。追加記憶する場合、オリジナルの再生パラメータのみを残して変更された再生パラメータは最新のもののみを残すようにしてもよい。
【００５３】
ステップＳ３０２では、変更されたサムネイルデータを記憶部３に記憶し、画像ファイルを更新する。サムネイルデータは、パラメータ変更処理時に作成済であるので、そのままきおくすればよい。サムネイルデータについても、元のサムネイルデータを書き換えるても、追加記憶してもよい。ただし、再生パラメータを書き換える場合は、サムネイルデータも書き換える。
【００５４】
図６は、プレビュー画像表示領域５１にＲＡＷ画像データに基づくプレビュー画像を表示する場合の画像ファイル更新処理の概略フローである。ステップＳ３１１で、決定された再生パラメータを記憶部３に記憶し、画像ファイルを更新する処理は、図５のステップＳ３０１と同様であるので説明を省略する。この例では、サムネイルデータが変更されていないので、サムネイルデータの記憶に先立ち、ステップＳ３１２でサムネイルデータの生成処理を行う。サムネイルデータの生成は、パラメータ変更処理時に生成したプレビュー用の表示画像データを縮小することによって行う。
【００５５】
ステップＳ３１３では、生成されたサムネイルデータを記憶するが、記憶の仕方は、図５のステップＳ３０２と同様であるので説明を省略する。
【００５６】
【発明の効果】
以上の説明から明らかなように、本発明によれば、画像ファイルに含まれるＲＡＷ画像データの再生パラメータを変更した場合でも、変更後の画像の確認を効率よく短時間で行うことができる。
【図面の簡単な説明】
【図１】本発明の実施の形態の画像処理装置の概略構成を示す図
【図２】図１の画像処理装置による画像ファイルの編集処理の概略動作フローを示す図
【図３】再生パラメータ変更処理の一例を示すフロー図
【図４】再生パラメータ変更処理の他の例を示すフロー図
【図５】画像ファイル更新処理の一例を示すフロー図
【図６】画像ファイル更新処理の他の例を示すフロー図
【図７】画像ファイルのファイルフォーマットの一例を示す図
【図８】サムネイル画像の一覧の表示例を示す図
【図９】パラメータ変更処理画面の一例を示す図
【図１０】パラメータ変更処理画面の他の例を示す図
【符号の説明】
１・・入出力インタフェース
２・・・画像処理部
３・・・記憶部
４・・・表示部
５・・・操作部
２１・・・再生パラメータ変更処理部
２２・・・画像ファイル更新処理部
【図１】
2004056641.tif 000003
【図２】
2004056641.tif 000004
【図３】
2004056641.tif 000005
【図４】
2004056641.tif 000006
【図５】
2004056641.tif 000007
【図６】
2004056641.tif 000008
【図７】
2004056641.tif 000009
【図８】
2004056641.tif 000010
【図９】
2004056641.tif 000011
【図１０】
2004056641.tif 000012